(57)【特許請求の範囲】
【請求項１】
（ａ）大型の液晶表示装置と、
（ｂ）該液晶表示装置の表面上に形成されるレーザ・ポインティング・スクリーンと、
（ｃ）該レーザ・ポインティング・スクリーンに対向し、前記液晶表示装置のレーザ・ポインティング位置にレーザ光を照射するレーザ・ビーム・ポインタとを備え、
（ｄ）前記レーザ・ポインティング・スクリーン上に前記レーザ・ビーム・ポインタからの前記レーザ光を照射して、前記液晶表示装置の表面上のレーザ・ポインティング位置を指示することを特徴とする大型の液晶表示装置用レーザ・ポインティング装置。
【請求項２】
請求項１記載の大型の液晶表示装置用レーザ・ポインティング装置において、前記レーザ・ポインティング・スクリーンが、該レーザ・ポインティング・スクリーンの表面に光学散乱体を有することを特徴とする大型の液晶表示装置用ポインティング装置。
【請求項３】
請求項１記載の大型の液晶表示装置用レーザ・ポインティング装置において、前記レーザ・ポインティング・スクリーンが、透明な基材を利用した、発光素子を有する薄膜フォトトランジスタのマトリックスからなることを特徴とする大型の液晶表示装置用レーザ・ポインティング装置。
【請求項４】
請求項３記載の大型の液晶表示装置用レーザ・ポインティング装置において、前記レーザ・ビーム・ポインタから紫外線レーザを照射し、これを紫外線域に対する感度を有する受光素子で受けることを特徴とする大型の液晶表示装置用レーザ・ポインティング装置。
【発明の詳細な説明】
【技術分野】
【０００１】
本発明は、大型の液晶表示装置（液晶ディスプレイ）用レーザ・ポインティング装置に関するものである。
【背景技術】
【０００２】
従来、大型の液晶表示装置はその構造上、現状のテレビジョン用の光沢のある表面を有するものであっても、全面からの光を反射し難い性質があるため、その表示内容をレーザ・ビーム・ポインタにより明瞭にポイントすることはできない。
【非特許文献１】湖東  雅弘、谷口  浩一、只友  一行、濱村  寛、野村  達士、平松  和政，「ＡｌＧａＮ系紫外線受光素子の開発」，三菱電線工業時報，平成１３年（２００１）１月，第９７号，ｐｐ．８０−８４
【発明の開示】
【発明が解決しようとする課題】
【０００３】
大型の液晶表示装置が様々なプレゼンテーションで使用される状況においては、その表示内容を描画するパーソナルコンピュータのマウス等の入力デバイスのポインタを利用して、必要なポインティングを行うことも可能であるが、ポイントの範囲が複数の表示装置や、表示装置以外の具体的なオブジェクト等多岐に渡る場合には、一つのレーザ・ポインタにより指示可能であることのメリットは大きい。
【０００４】
しかしながら、現在のところ、液晶表示装置上に一つのレーザ・ポインタにより指示することはなされていない。
【０００５】
本発明は、上記状況に鑑みて、レーザ・ビーム・ポインタにより液晶表示装置上にレーザ・ポインティング位置を的確に指示することができる大型の液晶表示装置用レーザ・ポインティング装置を提供することを目的とする。
【課題を解決するための手段】
【０００６】
本発明は、上記目的を達成するために、
〔１〕大型の液晶表示装置用レーザ・ポインティング装置において、大型の液晶表示装置と、この液晶表示装置の表面上に形成されるレーザ・ポインティング・スクリーンと、このレーザ・ポインティング・スクリーンに対向し、前記液晶表示装置のレーザ・ポインティング位置にレーザ光を照射するレーザ・ビーム・ポインタとを備え、前記レーザ・ポインティング・スクリーン上に前記レーザ・ビーム・ポインタからの前記レーザ光を照射して、前記液晶表示装置の表面上のレーザ・ポインティング位置を指示することを特徴とする。
【０００７】
〔２〕上記〔１〕記載の大型の液晶表示装置用レーザ・ポインティング装置において、前記レーザ・ポインティング・スクリーンが、このレーザ・ポインティング・スクリーンの表面に光学散乱体を有することを特徴とする。
【０００８】
〔３〕上記〔１〕記載の大型の液晶表示装置用レーザ・ポインティング装置において、前記レーザ・ポインティング・スクリーンが、透明な基材を利用した、発光素子を有する薄膜フォトトランジスタのマトリックスからなることを特徴とする。
【０００９】
〔４〕上記〔３〕記載の大型の液晶表示装置用レーザ・ポインティング装置において、前記レーザ・ビーム・ポインタから紫外線レーザを照射し、これを紫外線域に対する感度を有する受光素子で受けることを特徴とする。
【発明の効果】
【００１０】
本発明によれば、簡単な構成で、大型の液晶表示装置上にレーザ・ビーム・ポインタからのレーザ光により、レーザ・ポインティング位置を的確に指示することができる。特に、大型の液晶表示装置を用いたプレゼンテーションにおける効果は著大である。
【発明を実施するための最良の形態】
【００１１】
本発明の大型の液晶表示装置用レーザ・ポインティング装置は、大型の液晶表示装置と、この液晶表示装置の表面上に形成されるレーザ・ポインティング・スクリーンと、このレーザ・ポインティング・スクリーンに対向し、前記液晶表示装置のレーザ・ポインティング位置にレーザ光を照射するレーザ・ビーム・ポインタとを備え、前記レーザ・ポインティング・スクリーン上に前記レーザ・ビーム・ポインタからの前記レーザ光を照射して、前記液晶表示装置の表面上のレーザ・ポインティング位置を指示する。
【実施例】
【００１２】
以下、本発明の実施の形態について詳細に説明する。
【００１３】
図１は本発明の実施例を示す大型の液晶表示装置用ポインティング装置でポインティングを行う液晶表示画面の一例を示す図、図２は本発明の第１実施例を示す大型の液晶表示装置用レーザ・ポインティング装置（デバイス）を示す図、図３は本発明の第１実施例を示す大型の液晶表示装置用レーザ・ポインティング装置の構成図である。
【００１４】
図１において、Ａは大型の液晶表示装置の画面、Ｂは大型の液晶表示装置の画面Ａ上のレーザ・ポインティング位置を示している。
【００１５】
図２において、１は大型の液晶表示装置であり、この液晶表示装置１は、裏側にバックライト光源２、偏光板３、ガラス基板４が設けられる。そのガラス基板４上には、ＴＦＴ５Ａ、透明画素電極５Ｂ、バス電極５Ｃなどが形成される。
【００１６】
さらに、６，７は配向膜であり、これらの配向膜６と７間に液晶８が設けられる。９は透明電極、１０はカラーフィルター、１１はブラックマトリックス、１２はガラス基板、１３は表面の偏光板である。
【００１７】
図３に示すように、大型の液晶表示装置１の表面の偏光板上に光学散乱体としてのガラス粉末やセラミック等のレーザ・ポインティング・スクリーン（ビーム反射スクリーン）１４が形成される。
【００１８】
また、２１はレーザ・ビーム・ポインタであり、このレーザ・ビーム・ポインタ２１から照射されるレーザ光２２が、レーザ・ポインティング・スクリーン１４に照射されると、そのスクリーン１４の光学散乱体としてのガラス粉末などでビームが散乱反射されることになり、液晶表示装置１の表面上に位置を指示することができる。つまり、レーザ・ポインティング位置２３が指示される。
【００１９】
ここで、レーザ・ポインティング・スクリーン１４は、大型の液晶表示装置１の視認性を著しく劣化させることなく、ポインティングに十分な輝度での散乱反射を可能とすることができる。
【００２０】
レーザ・ポインティング・スクリーン１４の基材は光の透過性が高いものであれば何でも良く、表面にガラスの細かい粉を塗布することにより、背面の液晶表示の視認性を劣化させることなく、ガラス粉により必要な散乱反射を実現することができる。
【００２１】
また、図４に示すように、透明な樹脂基材３１を利用すれば、その樹脂基材３１の組成に光学散乱体としてのガラス粉末３２など適量配合することにより、同様な効果を有する透過スクリーンを実現することができる。
【００２２】
図５は、本発明の第２実施例を示す大型の液晶表示装置用レーザ・ポインティング装置の構成図である。
【００２３】
この図において、４１は大型の液晶表示装置、４２は大型の液晶表示装置４１の表面上に形成されるガラス等の透明な基材、４３はその透明な基材４２に形成される薄膜フォトトランジスタ４４のマトリックスからなるレーザ・ポインティング・スクリーン、４４Ａは薄膜フォトトランジスタ４４に接続される発光ダイオード、４５はレーザ・ビーム・ポインタ、４６はレーザ・ビーム・ポインタ４５から照射されるレーザ光、４７はレーザ・ポインティング位置である。
【００２４】
このように、透明な基材４２を利用した発光ダイオード４４Ａを有する薄膜フォトトランジスタ４４のマトリックスを利用すれば、薄膜フォトトランジスタ４４の感度をレーザ・ビーム・ポインタ４５の波長に対応させることで、発光ダイオード４４Ａを駆動させ、レーザ・ポインティング位置４７を指示することができる。つまり、薄膜フォトトランジスタ４４のＯＮにより、その薄膜フォトトランジスタ４４に接続される発光ダイオード４４Ａを駆動させてポインティングによる指示を行うようにする。
【００２５】
なお、上記実施例では、コンテンツを表示するディスプレイを覆う発光素子のマトリックスを有するシステムについて述べたが、これに限定されるものではなく、ポインティングマークの輝度やコントラスト比について、ポインティングマークが、本来の液晶ディスプレイが表示するコンテンツと同程度の輝度やコントラスト比で十分な視認性を表現できるシステムにも適用できる。
【００２６】
また、大型の液晶表示装置４１のバックライト光源の光成分により薄膜フォトトランジスタ４４がＯＮ状態になっては困るので、薄膜フォトトランジスタ４４はバックライト光よりも短い波長の光で、例えば紫外線域で感度を有するものを使用することが必要である。この薄膜フォトトランジスタ４４をポイントするレーザ・ビーム・ポインタ４５にもこれに対応した紫外線域の光成分を含むように構成する。
【００２７】
紫外線域に対する感度を実現する薄膜フォトトランジスタは、通常の薄膜フォトトランジスタが半導体のＰＮ接合により構成されているのに対して、例えば、Ｐ層の代わりに金薄膜とＮ層薄膜の接合により構成することができる。
【００２８】
この点について詳細に説明する。
【００２９】
レーザーポインタのポインティングをパーソナルコンピュータ（ＰＣ）の入力情報とするために、ＰＣの液晶ディスプレイ内のフォトトランジスタの感度とレーザーポインタの波長を合わせることを目的としている。その際に、フォトトランジスタがＰＣのバックライト光ではなく、レーザーポインタの光のみに反応するようにするため、レーザーポインタの光成分およびフォトトランジスタの感度を可視光線よりも短い紫外線域などにする必要がある。
【００３０】
一般のフォトトランジスタに利用されているフォトダイオードは、可視光から赤外線域までの感度を有し、波長８００ｎｍ以上の赤外領域にピーク感度を持つものが多い。フォトダイオードにはＰＮ型、ＰＩＮ型、ショットキー型、アバランシュ型（ＡＰＤ）などがあるが、特に、ＰＮ型のＰ層の代わりに金メッキなどを使用して、ショットキー型にすると短波長の高いセンサとなり、紫外線域に対する感度を有することができる（非特許文献１参照）ので、本発明においても、レーザーポインタのポインティングをこのようなショットキー型のフォトダイオードで受けるように構成することができる。
【００３１】
なお、現状のシリコン薄膜フォトトランジスタであっても、シャドウマスク等の技術を利用することで、バックライト光源からの光が、液晶構造による反射光も含めて、薄膜フォトトランジスタに入らないようにすれば利用可能である。
【００３２】
また、シャドウマスクの技術を利用すれば、薄膜フォトトランジスタ以外の光センサ素子（太陽電池、ＣｄＳ、ＣｄＳｅ、ＰｄＳ、ＣＣＤ、ｅｔｃ．）を利用することができる。
【００３３】
なお、薄膜フォトトランジスタ４３のマトリックスを利用して、ポインティング位置をパーソナルコンピュータに入力するようにすることもできる。
【００３４】
図６は本発明の第３実施例を示す液晶表示装置用レーザ・ポインティング装置の構成図である。
【００３５】
この図において、５１は液晶表示装置、５２はハーフミラー、５３はマトリックス状のアレイである。
【００３６】
液晶表示装置５１において、光学散乱体を含むマスクよりも高い輝度でのポインティング・マークの実現には、有効視野は狭くなっても、ハーフミラーを利用することが可能であって、その場合、液晶の表にハーフミラー５２を置けば、十分な明るさのあるコンテンツはそのまま透過して見ることが可能であって、これをレーザ・ビームでポイントした場合には、レーザ・ビームの明るさは液晶ディスプレイに表示されるコンテンツに比較して遙に高いので、弱いハーフミラーであっても視認性において高い輝度が実現される。
【００３７】
なお、本発明は上記実施例に限定されるものではなく、本発明の趣旨に基づき種々の変形が可能であり、これらを本発明の範囲から排除するものではない。
【産業上の利用可能性】
【００３８】
本発明の大型の液晶表示装置用レーザ・ポインティング装置は、特に、大型の液晶表示装置を用いたプレゼンテーション分野に利用可能である。
【図面の簡単な説明】
【００３９】
【図１】本発明の実施例を示す大型の液晶表示装置用レーザ・ポインティング装置でポインティングを行う液晶表示画面の一例を示す図である。
【図２】本発明の第１実施例を示す大型の液晶表示装置用レーザ・ポインティング装置（デバイス）を示す図である。
【図３】本発明の第１実施例を示す大型の液晶表示装置用レーザ・ポインティング装置の構成図である。
【図４】本発明の第１実施例を示す大型の液晶表示装置用レーザ・ポインティング装置の変形図である。
【図５】本発明の第２実施例を示す大型の液晶表示装置用レーザ・ポインティング装置の構成図である。
【図６】本発明の第３実施例を示す大型の液晶表示装置用レーザ・ポインティング装置の構成図である。
【符号の説明】
【００４０】
Ａ    大型の液晶表示装置の画面
Ｂ    大型の液晶表示装置の画面上のレーザ・ポインティング位置
１，４１，５１    液晶表示装置
２    バックライト光源
３，１３    偏光板
４，１２    ガラス基板
５Ａ    ＴＦＴ
５Ｂ    透明画素電極
５Ｃ    バス電極
６，７    配向膜
８    液晶
９    透明電極
１０    カラーフィルター
１１    ブラックマトリックス
１４    レーザ・ポインティング・スクリーン（ビーム反射スクリーン）
２１，４５    レーザ・ビーム・ポインタ
２２，４６    レーザ光
２３，４７    レーザ・ポインティング位置
３１    透明な樹脂基材
３２    光学散乱体としてのガラス粉末
４２    透明な基材
４３    レーザ・ポインティングスクリーン
４４    薄膜フォトトランジスタ
４４Ａ    発光ダイオード
５２    一方向に光が透過するポインティングハーフミラー
５３    マトリックス状のアレイ
【図１】
0005005601.tif 000002
【図２】
0005005601.tif 000003
【図３】
0005005601.tif 000004
【図４】
0005005601.tif 000005
【図５】
0005005601.tif 000006
【図６】
0005005601.tif 000007